(57)【要約】      （修正有）【課題】遮音性に優れた仕切パネルを使った間仕切システムを提供する。【解決手段】間仕切システム１００は、室内の天井ＣＬまたは床面ＦＬに架設したガイドレールに沿って移動可能な矩形形状の仕切パネル１０で室内を間仕切る。そのシステム１００は、仕切パネル１０は、第１辺に第１遮音パッキン、第２辺に第２遮音パッキン、第３遮音パッキン及び第４遮音パッキンを有し、仕切パネルが収納部から移動して壁面に接した際に、室内の壁面に第１遮音パッキンに接し、仕切パネルの収納部に第２遮音パッキンに接し、天井に第３遮音パッキンが接し、床に第４遮音パッキンが接する。【選択図】図１
0003170713.tif 000002
【実用新案登録請求の範囲】
【請求項１】
室内の天井または床面に架設したガイドレールに沿って移動可能な矩形形状の仕切パネルで室内を間仕切る間仕切システムであって、
前記仕切パネルは、第１辺に第１遮音パッキン、第２辺に第２遮音パッキン、第３遮音パッキン及び第４遮音パッキンを有し、
前記仕切パネルが前記収納部から移動して前記壁面に接した際に、前記室内の壁面に第１遮音パッキンに接し、前記仕切パネルの収納部に前記第２遮音パッキンに接し、前記天井に前記第３遮音パッキンが接し、前記床に前記第４遮音パッキンが接する間仕切システム。
【請求項２】
前記第１遮音パッキンが前記壁面に接した後、前記第３遮音パッキン及び前記床に前記第４遮音パッキンは上下方向に繰り出される請求項１に記載の間仕切システム。
【請求項３】
前記仕切パネルの両面側に、前記仕切パネルと同等の大きさの矩形形状の化粧パネルが移動可能に配置される請求項１又は請求項２に記載の間仕切システム。
【請求項４】
前記仕切パネルは第１仕切パネルと該第１パネルと同じ大きさの第２仕切パネルとを含み、前記第１仕切パネル及び前記第２仕切パネルはそれぞれ逆方向に移動可能に配置される請求項１から請求項３のいずれか一項に記載の間仕切システム。
【請求項５】
前記仕切パネルは第１仕切パネルと該第１パネルに内挿される第２仕切パネルとを含み、前記第１仕切パネルは前記第２遮音パッキン、前記第３遮音パッキン及び前記第４遮音パッキンを有し、前記第２仕切パネルは前記第１遮音パッキン、前記第２遮音パッキン、前記第３遮音パッキン及び前記第４遮音パッキンを有する請求項１から請求項３のいずれか一項に記載の間仕切システム。
【考案の詳細な説明】
【技術分野】
【０００１】
本考案は、ホテルやオフィスの室内を仕切る移動式の間仕切システムに関し、特に、遮音性に優れた間仕切システムに関する。
【背景技術】
【０００２】
ホテル等では、ビジネス客が多い時期には一人用の部屋が多く必要であり、長期休暇の時期には、家族連れのため他人数が宿泊できる大きな部屋が多く必要となっている。そこで、２つの部屋が廊下側でなく隣接する壁側に配置されたコネクティングドアでつながっているコネクティングルーム（部屋）を多く有するホテルもある。ホテルの２つの部屋を一部屋にする際にはコネクティングドアを施錠しない状態で一室として使用される。ホテルの廊下に出ずに２部屋を行き来できるので家族連れの宿泊者に使用されている。一方、一人のビジネス客にはコネクティングドアを施錠して別部屋として使用されている。別部屋として使用されるため、コネクティングドアは遮音性に優れていることが必要である。特許文献１は遮音性に優れたコネクティングドアを開示している。
【先行技術文献】
【特許文献】
【０００３】
【特許文献１】特開平０６−１９３３５６号公報
【考案の概要】
【考案が解決しようとする課題】
【０００４】
しかし、ホテル等の部屋を仕切るコネクティングドアは、ドアノブ等が見えているため見栄えが悪く、またコネクティングドアがある部屋は遮音性が悪いとか、隣の宿泊客が誤ってコネクティングドアを開けてしまい自らの部屋に入ってくるような不安を、宿泊者に与えることがある。
【課題を解決するための手段】
【０００５】
そこで、コネクティングドアではなく壁となる仕切パネルが移動できるようにしてコネクティングドアを無くし、さらに遮音性に優れた仕切パネルを使った間仕切システムを提供する。
【０００６】
第１の観点の間仕切システムは、室内の天井または床面に架設したガイドレールに沿って移動可能な矩形形状の仕切パネルで室内を間仕切る。そのシステムは、仕切パネルは、第１辺に第１遮音パッキン、第２辺に第２遮音パッキン、第３遮音パッキン及び第４遮音パッキンを有し、仕切パネルが収納部から移動して壁面に接した際に、室内の壁面に第１遮音パッキンに接し、仕切パネルの収納部に第２遮音パッキンに接し、天井に第３遮音パッキンが接し、床に第４遮音パッキンが接する。
【０００７】
第２の観点の間仕切システムは、第１遮音パッキンが壁面に接した後、第３遮音パッキン及び床に第４遮音パッキンは上下方向に繰り出される。
第３の観点の間仕切システムでは、仕切パネルの両面側に仕切パネルと同等の大きさの矩形形状の化粧パネルが移動可能に配置される。
【０００８】
第４の観点の間仕切システムでは、仕切パネルは第１仕切パネルと該第１パネルと同じ大きさの第２仕切パネルとを含み、第１仕切パネル及び第２仕切パネルはそれぞれ逆方向に移動可能に配置される。
【０００９】
第５の観点の間仕切システムでは、仕切パネルは第１仕切パネルと該第１パネルに内挿される第２仕切パネルとを含み、第１仕切パネルは第２遮音パッキン、第３遮音パッキン及び第４遮音パッキンを有し、第２仕切パネルは第１遮音パッキン、第２遮音パッキン、第３遮音パッキン及び第４遮音パッキンを有する。
【考案の効果】
【００１０】
本考案によれば、遮音性に優れるとともに美感に優れた間仕切システムを提供できる。
【図面の簡単な説明】
【００１１】
【図１】本考案の第１実施形態を例示する斜視図である。（ａ）はその仕切パネル及び化粧パネルを閉じた状態である。（ｂ）はその化粧パネルのみを開いた状態である。（ｃ）は仕切パネル及び化粧パネルを開いた状態である。
【図２】第１実施形態の平面図であり、（ａ）は仕切パネル１０と化粧パネル５０とが閉められた状態であり、（ｂ）は化粧パネル５０と仕切パネル１０とが移動している状態である。
【図３】第１実施形態の変形例であり、（ａ）は仕切パネル１０と化粧パネル５０とが閉められた状態であり、（ｂ）は仕切パネル１０及び化粧パネル５０が収納された状態である。
【図４】間仕切システム１００の詳細平面図（ＸＹ平面）である。
【図５】間仕切システム１００の詳細断面図（ＹＺ平面）である。
【図６】第２実施形態の間仕切システム１１０の平面図である。
【図７】第３実施形態の間仕切システム１２０の平面図である。
【図８】第４実施形態の間仕切システム１３０の平面図である。
【考案を実施するための形態】
【００１２】
＜第１実施形態＞
以下、本考案の第１実施形態を、図１から図５を使って説明する。
図１に示される間仕切システム１００は、部屋ＲＭ（ＲＭ１、ＲＭ２）を、部屋ＲＭ１と部屋ＲＭ２とに分離したり、一部屋にしたりすることができるものである。
【００１３】
第１実施形態の間仕切システム１００は、仕切パネル１０と化粧パネル５０とによって構成されている。仕切パネル１０及び化粧パネル５０はともに、Ｚ軸方向に天井面ＣＬから床面ＦＬまでの長さを有している。部屋ＲＭ１と部屋ＲＭ２との間に天井面から下がった下がり壁（不図示）があれば、仕切パネル１０及び化粧パネル５０は、Ｚ軸方向に下がり壁から床面ＦＬまでの長さを有していればよい。仕切パネル１０及び化粧パネル５０は、天井ＣＬ内に水平に配されたガイドレールＲＬ１及びガイドレールＲＬ２（図５を参照）でＸ軸方向に移動する。天井ＣＬ内に設けたレールではなく、仕切パネル１０及び化粧パネル５０は床面に配置したレールに沿って移動するようにしてもよい。
【００１４】
図１（ａ）は間仕切システム１００によって、部屋ＲＭ１と部屋ＲＭ２とが区切られた図である。図１（ｂ）は間仕切システム１００の化粧パネル５０が移動し、さらに仕切パネル１０が移動している状態を示した図である。図１（ｃ）は間仕切システム１００が開放された状態を示した図である。
【００１５】
図１（ａ）に示された部屋ＲＭ１では、部屋ＲＭ１の宿泊者等は、第１壁８０と化粧パネル５０としか見えず、仕切パネル１０でつながっていることに気が付きにくい。化粧パネル５０は第１壁８０と同じ色又は模様にして、化粧パネル５０と第１壁８０とが一体物に見えるようにしてもよい。また化粧パネル５０が固定物であるかのように見せるため、化粧パネル５０のパネル面（側面）に絵画をかけたり洋服などを掛けるハンガーを設けたりしてもよい。
【００１６】
図１（ｃ）に示されるように、仕切パネル１０と化粧パネル５０とは一対の第１壁８０内部と側面とに収納される。このため、図１（ｃ）に示された部屋ＲＭ（ＲＭ１及びＲＭ２）の宿泊者は、大きく天井ＣＬまで壁がないように見えるため、あたかも一部屋であると認識する。また、宿泊者はドアなどを開け閉めすることなく部屋ＲＭ１と部屋ＲＭ２とを行き来できる。
【００１７】
図２は間仕切システム１００の平面図であり、図２（ａ）は仕切パネル１０と化粧パネル５０とが閉められた状態であり、図２（ｂ）は化粧パネル５０が移動し、さらに仕切パネル１０が移動している状態を示した図である。
【００１８】
図２（ａ）及び（ｂ）に示されているように、一対の第１壁８０が部屋ＲＭ１側及び部屋ＲＭ２側にそれぞれ配置されている。そして一対の第１壁８０の間には空間８１が形成されており、その空間８１の幅ＷＷ１に仕切パネル１０が収納できるようになっている。また、２枚の化粧パネル５０は一対の第１壁８０に沿って部屋ＲＭ１側と部屋ＲＭ２側とにそれぞれ配置される。２枚の化粧パネル５０は、第１壁８０の側面に沿って収納される。また、一対の第１壁８０の＋Ｘ軸の向かい側には第２壁８８が配置されている。第２壁の−Ｘ軸側には幅ＷＷ１と同様又はそれ以下の凹み部８９が形成されている。また第２壁８８は２枚の化粧パネル５０の＋Ｘ軸側端部が当接するように幅ＷＷ３で形成されている。例えば、第２壁８８の幅ＷＷ３は、空間８１の幅ＷＷ１と２枚の化粧パネル５０の幅（ＷＷ２＊２）とを足し合わせた幅よりも広い。
【００１９】
２枚の第１壁８０の幅及び空間幅ＷＷ１と２枚の化粧パネル５０の幅（ＷＷ２＊２）とを合わせた幅ＷＷ３は、第２壁８８の幅ＷＷ３と同じであるため、部屋ＲＭ１と部屋ＲＭ２とが一部屋として使用される際には、第１壁８０及び第２壁８８に違和感がない。
【００２０】
図２（ａ）に示されているように、仕切パネル１０が閉められる際には、仕切パネル１０の＋Ｘ側端部に配置された遮音パッキン１２が第２壁８８の凹み部８９に入り込む。また２枚の化粧パネル５０の＋Ｘ軸側端部は第２壁８８の側面に当接している。部屋ＲＭ１と部屋ＲＭ２とが区切られる際には、仕切パネル１０は上下固定部１９（図５を参照）で天井ＣＬと床面ＦＬとに固定され、化粧パネル５０は不図示のカギなどで第２壁８８に固定される。
【００２１】
図２（ｂ）に示されているように、化粧パネル５０が開けられると、化粧パネル５０の＋Ｘ側端面は、左側の化粧パネル５０のように第１壁８０の＋Ｘ側端面と同一面になる。仕切パネル１０が空間８１に収納されると、遮音パッキン１２が第１壁８０の＋Ｘ側端面と同一面になる。
【００２２】
図３は間仕切システム１００の平面図であり、第１実施形態の変形例である。この変形例では、２枚の化粧パネル５０が＋Ｘ側端の第３壁１８８の側面に沿って収納される点で図２の第１実施形態と異なっている。仕切パネル１０が空間８１に収納される点は図２と同様である。図３（ａ）は仕切パネル１０と化粧パネル５０とが閉められた状態であり、図３（ｂ）は仕切パネル１０及び化粧パネル５０が収納された状態を示した図である。第１実施形態と同じ部材には同じ番号を付し、同じ部材等の説明は割愛する。
【００２３】
２枚の化粧パネル５０が第３壁１８８の側面に沿って収納された際、２枚の化粧パネル５０の幅（ＷＷ２＊２）と第３壁１８８の幅ＷＷ４とを合わせた幅はＷＷ５になる。そして２枚の化粧パネル５０が第１壁の＋Ｘ軸側の側面に当接するには、第１壁８０の幅もＷＷ５だけ必要である。第１壁８０の幅ＷＷ５と、２枚の化粧パネル５０の幅（ＷＷ２＊２）と第３壁１８８の幅ＷＷ４とを合わせた幅ＷＷ５とが同じであるため、部屋ＲＭ１と部屋ＲＭ２とが一部屋として使用される際には、第１壁８０及び第３壁１８８に違和感がない。
【００２４】
図４は、間仕切システム１００の詳細平面図（ＸＹ平面）である。図５は間仕切システム１００の詳細断面図（ＹＺ平面）である。第１実施形態の変形例と同様に、第１壁８０及び第３壁１８８を使用した例である。
【００２５】
図４に示されるように、仕切パネル１０が閉じられた際、仕切パネル１０の＋Ｘ軸端部に配置された第１遮音パッキン１２は第２壁８８の凹み部８９に入り込む。第１遮音パッキン１２は高さ方向（Ｚ軸方向）全面に配置されており、配置された第１遮音パッキン１２のＹ軸方向の幅は凹み部８９の幅よりも若干広い。また第１遮音パッキン１２は凹み部８９の±Ｙ面及びＸ面と接し、遮音性を高めている。
【００２６】
また仕切パネル１０の−Ｘ軸端部にも一対の第２遮音パッキン１４が配置されている。この一対の第２遮音パッキン１４は高さ方向（Ｚ軸方向）全面に配置されている。また、空間８１内にも一対の壁遮音パッキン８３が高さ方向（Ｚ軸方向）全面に配置されている。仕切パネル１０が閉じられた際、一対の第２遮音パッキン１４は、一対の壁遮音パッキン８３に当接する。このため、仕切パネル１０が閉じられた際の遮音性は高い。
【００２７】
仕切パネル１０は、炭素鋼、ステンレス鋼、合金鋼を含む鉄鋼材料、またはアルミニウム、真鍮などの金属材料を用いて構成される。またポリエチレン樹脂、ポリプロピレン樹脂、ポリスチレン樹脂、ＡＢＳ樹脂、ポリエチレンテレフタレート（ＰＥＴ）などの熱可塑性樹脂を使用し、押し出し成形、ブロー成形、射出成形などの成形方法を用いることもできる。もちろん木製の仕切パネル１０であってもよい。
【００２８】
仕切パネル１０の一部には取り外しが可能なパネルカバー１５がある。上下固定部１９（図５を参照）で仕切パネル１０を固定する際に、パネルカバー１５が取り外される。そして仕切パネル１０が固定された後、再びパネルカバー１５が取り付けられる。
【００２９】
また、空間８１内の−Ｘ軸方向には保護パッド８４が配置されている。保護パッド８４には永久磁石も配置されている。仕切パネル１０が空間８１内に収納された際には仕切パネル１０が第１壁８０と強く衝突しないように保護パッド８４が設けられている。また、一旦仕切パネル１０が空間８１内に収納された際には、振動等で簡単に仕切パネル１０が飛び出さないように永久磁石の磁力で仕切パネル１０を保持している。
【００３０】
また、第３壁１８８の±Ｙ軸方向に一対のガイドローラ８６が配置されている。このガイドローラ８６は床面ＦＬの近傍に配置されており（図５を参照）、化粧パネル５０のＸ軸方向の移動をガイドしている。このガイドローラ８６によって第２ガイドレールＲＬ２（図５を参照）から吊り下げられた化粧パネル５０は円滑に移動できる。
【００３１】
次に図５を使って間仕切システム１００の断面を説明する。図５に支援されるように、天井ＣＬには第１ガイドレールＲＬ１がＸ軸方向に伸びるように配置され、また第１レールの両側には一対の第２ガイドレールＲＬ２がＸ軸方向に伸びるように配置されている。第１ガイドレールＲＬ１及び第２ガイドレールＲＬ２は、炭素鋼、ステンレス鋼、合金鋼を含む鉄鋼材料、またはアルミニウム、真鍮などの金属材料で形成されている。
【００３２】
仕切パネル１０の＋Ｚ側には第１ランナーＲＮ１が取り付けられており、第１ランナーＲＮ１は第１ガイドレールＲＬ１に乗って移動可能になっている。化粧パネル５０の＋Ｚ側には第２ランナーＲＮ２が取り付けられており、第２ランナーＲＮ２は第２ガイドレールＲＬ２に乗って移動可能になっている。さらに一対の化粧パネル５０は、床面ＦＬの近傍に配置されたガイドローラ８６によってガイドされている。一対の化粧パネル５０は、不図示のカギによって化粧パネル５０の開放位置及び閉鎖位置で第３壁１８８に固定される。
【００３３】
仕切パネル１０内の上下固定部１９の＋Ｚ側には上部遮音パッキン１７Ｕが一対配置されており、−Ｚ側には下部遮音パッキン１７Ｂが一対配置されている。上部遮音パッキン１７Ｕ及び下部遮音パッキン１７Ｂは、仕切パネル１０のＸ軸方向の長さと同等の長さを有している。仕切パネル１０が閉じられた際、パネルカバー１５が取り外され、スパナ等の工具を使って上下固定部１９が回転する。上下固定部１９が回転すると、それまで仕切パネル１０内に収納されて天井ＣＬ及び床面ＦＬに接していなかった上部遮音パッキン１７Ｕ及び下部遮音パッキン１７Ｂが突出してくる。上部遮音パッキン１７Ｕ及び下部遮音パッキン１７Ｂが天井ＣＬ及び床面ＦＬに接し、さらに上下固定部１９が回転すると上部遮音パッキン１７Ｕ及び下部遮音パッキン１７Ｂの弾性変形分だけ縮む。仕切パネル１０はこのようにして閉鎖位置で固定される。
【００３４】
上部遮音パッキン１７Ｕ及び下部遮音パッキン１７Ｂは、仕切パネル１０を固定するだけでなく、部屋ＲＭ１と部屋ＲＭ２とが別部屋として使用される際には、相互の部屋の音を遮音する。つまり、図４及び図５で示したように、矩形形状の仕切パネル１０はその四辺に遮音パッキンが配置されており、そして遮音パッキンと接する面積を増やしているため、遮音性能が高い。
【００３５】
第１実施形態及びその変形例では、化粧パネル５０には遮音パッキンが取り付けていない。さらに遮音性能を高める要望があるときには、第１壁８０に接する化粧パネル５０の一辺に遮音パッキンを取り付け、化粧パネル５０の側面と第３壁１８８の側面との間に遮音パッキンを取り付けてもよい。さらに、化粧パネル５０の内部にも、仕切パネル１０と同様に、上下固定部につながった上部遮音パッキン１７Ｕ及び下部遮音パッキン１７Ｂを取り付けてもよい。
【００３６】
第１遮音パッキン１２、第２遮音パッキン１４、壁遮音パッキン８３、上部遮音パッキン１７Ｕ及び下部遮音パッキン１７Ｂは、樹脂又は天然ゴム等であればよく、例えばウレタンフォーム・発泡ポリエチレン・ゴムスポンジが用いられる。
【００３７】
＜第２実施形態＞
第２実施形態の間仕切システム１１０は、仕切パネル１０Ａによって構成されている。図６は間仕切システム１１０の平面図であり、図６（ａ）は仕切パネル１０Ａが閉められた状態であり、図６（ｂ）は仕切パネル１０Ａが移動している状態を示した図である。図６（ｃ）は仕切パネル１０Ａが収納された図である。
【００３８】
仕切パネル１０Ａは、Ｚ軸方向に天井面ＣＬから床面ＦＬまでの長さを有している。仕切パネル１０Ａは、天井ＣＬ内に水平に配された不図示のレールに沿って矢印方向（図６（ａ））に移動する。天井ＣＬ内に設けたレールではなく、仕切パネル１０Ａは床面に配置したレールに沿って移動するようにしてもよい。
【００３９】
図６（ａ）から（ｃ）に示されているように、Ｙ軸方向に幅ＷＷ６の第１壁８０Ａとその第１壁８０Ａの＋Ｘ軸の向かい側の第２壁８８Ａとが部屋ＲＭ１側と部屋ＲＭ２とを区分けしている。そして第１壁８０Ａと第２壁８８Ａとの間に幅ＷＷ６の仕切パネル１０Ａが入り込むようになっている。第１壁８０Ａの＋Ｘ軸側には幅（ＷＷ６／２）の切り込み部８９Ａが形成され、第２壁８８Ａの−Ｘ軸側にも同じ幅の切り込み部８９Ａが形成されている。仕切パネル１０Ａの±Ｘ軸端部も幅（ＷＷ６／２）に形成されている。そして仕切パネル１０Ａの±Ｘ軸端部に第１遮音パッキン１２Ａが配置されている。なお図示されていないが、仕切パネル１０Ａは第１実施形態と同様に、上部遮音パッキン及び下部遮音パッキン等が設けられている。
【００４０】
このため、図６（ａ）に示されるように、第１壁８０Ａの切り込み部８９Ａと第２壁８８Ａの切れ込み部８９Ａに仕切パネル１０Ａが嵌め込まれるようになっている。部屋ＲＭ１の宿泊者も部屋ＲＭ２の宿泊者も、第１壁８０Ａ、第２壁８０Ｂ及び仕切パネル１０Ａが同一面であるため、移動できる仕切パネル１０Ａの存在に気が付きにくい。
【００４１】
図６（ｂ）に示されるように、仕切パネル１０Ａは、天井ＣＬに配置されたレール（不図示）によって一旦＋Ｙ軸方向に移動し、その後−Ｘ軸方向に移動する。仕切パネル１０ＡのＸ軸方向の長さＬ１であり第１壁８０ＡのＸ軸方向の長さＬ１であるとする。仕切パネル１０Ａは、図６（ｃ）に示されるように、第１壁８０Ａの側面に沿って収納される。
【００４２】
＜第３実施形態＞
第３実施形態の間仕切システム１２０は、仕切パネル１０Ｂによって構成されている。図７は間仕切システム１２０の平面図であり、図７（ａ）は仕切パネル１０Ｂが閉められた状態であり、図７（ｂ）は一対の仕切パネル１０Ｂが移動している状態を示した図である。図７（ｃ）は一対の仕切パネル１０Ｂが収納された図である。
【００４３】
仕切パネル１０Ｂは、Ｚ軸方向に天井面ＣＬから床面ＦＬまでの長さを有している。一対の仕切パネル１０Ｂは、天井ＣＬ内に水平に配された不図示のレール沿ってそれぞれ矢印方向に移動する。一対の仕切パネル１０Ｂは床面に配置したレールに沿って移動するようにしてもよい。なお図示されていないが、仕切パネル１０Ｂは第１実施形態と同様に、上部遮音パッキン及び下部遮音パッキン等が設けられている。
【００４４】
図７（ａ）から（ｃ）に示されているように、Ｘ軸方向に長さＬ２の第１壁８０Ｂとその第１壁８０Ｂの＋Ｘ軸の向かい側の長さＬ２の第２壁８８Ｂとが部屋ＲＭ１側と部屋ＲＭ２とを区分けしている。そして第１壁８０Ｂと第２壁８８Ｂとの間に一対の仕切パネル１０Ｂが入り込むようになっている。そして仕切パネル１０Ｂの±Ｘ軸端部に遮音パッキン１２Ｂが配置されている。
【００４５】
このため、図７（ａ）に示されるように、部屋ＲＭ２側の第１壁８０Ｂの切り込み部８９Ｂと第２壁８８Ｂの切れ込み部８９Ｂに１枚の仕切パネル１０Ｂが嵌め込まれるようになっている。同様に、部屋ＲＭ２側の第１壁８０Ｂの切り込み部８９Ｂと第２壁８８Ｂの切れ込み部８９Ｂに１枚の仕切パネル１０Ｂが嵌め込まれるようになっている。部屋ＲＭ１の宿泊者も部屋ＲＭ２の宿泊者も、第１壁８０Ｂ、第２壁８０Ｂ及び仕切パネル１０Ｂが同一面であるため、移動できる仕切パネル１０Ｂがあることに気が付きにくい。
【００４６】
図７（ｂ）に示されるように、一対の仕切パネル１０Ｂは、それぞれレール（不図示）によって一旦±Ｙ軸方向に移動し、その後±Ｘ軸方向に移動する。仕切パネル１０ＢのＸ軸方向の長さＬ２であり第１壁８０Ｂ及び第２壁８８ＢのＸ軸方向の長さＬ２であるとする。一対の仕切パネル１０Ｂは、図７（ｃ）に示されるように、第１壁８０Ｂの側面に沿って収納される。
【００４７】
＜第４実施形態＞
第４実施形態の間仕切システム１３０は、仕切パネル４０と化粧パネル６０とによって構成されている。図８は間仕切システム１３０の平面図であり、図８（ａ）は仕切パネル４０と化粧パネル６０とが閉められた状態であり、図８（ｂ）は一対の仕切パネル４０と化粧パネル６０とが移動している状態を示した図である。図８（ｃ）は一対の仕切パネル４０と化粧パネル６０とが収納された図である。
【００４８】
第１実施形態の間仕切システム１００は、仕切パネル４０及び化粧パネル６０はともに、Ｚ軸方向に天井面ＣＬから床面ＦＬまでの長さを有している。仕切パネル４０及び化粧パネル６０は、天井ＣＬ内に水平に配されたレールでＸ軸方向に移動する。天井ＣＬ内に設けたレールではなく、仕切パネル４０及び化粧パネル６０は床面に配置したレールに沿って移動するようにしてもよい。
【００４９】
仕切パネル４０は第１仕切パネル４３及び第２仕切パネル４５からなる。第１仕切パネル４３は空間４９が形成され、第２仕切パネル４５はその空間４９に内挿される。第１仕切パネル４３及び第２仕切パネル４５は、図８（ａ）に示されるように、各々が連続して伸びた状態と、図８（ｃ）に示すように、第２仕切パネル４５が第１仕切パネル４３の内部に挿入されるとともにこの第１仕切パネル４３が第１壁８０の空間８１に挿入された状態とになる。
【００５０】
第１仕切パネル４３の−Ｘ軸端部には一対の第２遮音パッキン（不図示）が設けられ、さらに上部遮音パッキン及び下部遮音パッキン（不図示）が設けられている。第２仕切パネル４５はその＋Ｘ軸側に第１遮音パッキン１２Ｃが設けられ、−Ｘ軸端部には第１仕切パネル４３内の第３遮音パッキンと係合する第２遮音パッキン（不図示）が設けられている。さらに第２仕切パネル４５は上部遮音パッキン及び下部遮音パッキン（不図示）が設けられている。
【００５１】
化粧パネル６０は第１化粧パネル６３及び第２化粧パネル６５からなる。第１化粧パネル６３には空間６９が形成され、第２化粧パネル６５はその空間６９に内挿される。一対の化粧パネル６０（第１化粧パネル６３及び第２化粧パネル６５）は、第１壁８０の側面に沿って収納される。
【００５２】
一対の第１壁８０の＋Ｘ軸の向かい側には第２壁２８８が配置されている。第２壁の−Ｘ軸側には凹み部が形成されている。仕切パネル４０及び化粧パネル６０は伸長するため、第１実施形態の仕切パネル１０及び化粧パネル５０と比べて約２倍伸びるため、第２壁２８８はＸ軸方向に短い。また第２壁２８８は２枚の第２化粧パネル６５の＋Ｘ軸側端部が当接するように形成されている。
【００５３】
このため、図８（ａ）に示されるように、第２壁２８８に１枚の第２仕切パネル４５が嵌め込まれる。また図８（ｂ）に示されるように、第２仕切パネル４５が第１仕切パネル４３に内挿され、第２化粧パネル６５は第１化粧パネル６３に内挿される。そして図８（ｃ）に示されるように、第１仕切パネル４３及び第１化粧パネル６３が第１壁８０の空間８１及び側面に収納される。第４実施形態の間仕切システム１３０は、２段階に伸縮するようにしているが、３段階以上に伸縮するようにしてもよい。
【００５４】
以上、本考案の最適な実施形態について詳細に説明したが、当業者に明らかなように、本考案はその技術的範囲内において実施形態に様々な変更・変形を加えて実施することができる。
【００５５】
例えば、複数の実施形態ではホテルの部屋（客室）を想定して説明してきたが、ホテルだけでなくビジネスビルのワンフロアを複数の部屋（オフィス）に区切る際にも本考案は適用できる。また、ホテルやオフィスだけでなく、個人宅のリビングルームや子供部屋などの部屋など種々の部屋にも適用できる。
【符号の説明】
【００５６】
１００、１１０、１２０、１３０  …  間仕切システム
１０、１０Ａ、１０Ｂ、４０  …  仕切パネル
１２  …  第１遮音パッキン
１４  …  第２遮音パッキン
１７Ｕ  …  上部遮音パッキン
１７Ｂ  …  下部遮音パッキン
５０、６０  …  化粧パネル
４３  …  第１仕切パネル
４５  …  第２仕切パネル
６３  …  第１化粧パネル
６５  …  第２化粧パネル
８０、８０Ａ、８０Ｂ  …  第１壁
８８，８０Ａ、８８Ｂ、１８８、２８８  …  第２壁
８１  …  空間
８３  …  壁遮音パッキン
８６  …  ガイドローラ
８９  …  凹み部、８９Ａ  …  切り込み部
ＣＬ  …  天井
ＦＬ  …  床面
ＲＬ１、ＲＬ２  …  ガイドレール
ＲＭ１、ＲＭ２  …  部屋
８９  …  凹み部
ＲＮ１  …  第１ランナー
ＲＮ２  …  第２ランナー
【図１】
0003170713.tif 000003
【図２】
0003170713.tif 000004
【図３】
0003170713.tif 000005
【図４】
0003170713.tif 000006
【図５】
0003170713.tif 000007
【図６】
0003170713.tif 000008
【図７】
0003170713.tif 000009
【図８】
0003170713.tif 000010
【手続補正書】
【提出日】平成23年8月3日(2011.8.3)
【手続補正１】
【補正対象書類名】実用新案登録請求の範囲
【補正対象項目名】全文
【補正方法】変更
【補正の内容】
【実用新案登録請求の範囲】
【請求項１】
室内の天井または床面に架設したガイドレールに沿って移動可能な矩形形状の仕切パネルが、前記仕切りパネルに直交する室内の壁面に接することにより前記室内を間仕切る間仕切システムであって、
前記仕切りパネルは、開口枠を有する収納部に収納され、
前記矩形形状の仕切パネルは、第１辺、該第１辺に対向する第２辺、前記第１辺及び第２辺に直交し互いに対向する第３辺及び第４辺を有し、前記第１辺に第１遮音パッキン、前記第２辺に第２遮音パッキン、前記第３辺に第３遮音パッキン及び前記第４辺に第４遮音パッキンを有し、
前記仕切パネルが、前記収納部の前記開口枠から前記第１辺側に移動して前記壁面に接した際に、前記壁面に第１遮音パッキンが接し、前記開口枠に前記第２遮音パッキンが接し、前記天井に前記第３遮音パッキンが接し、前記床面に前記第４遮音パッキンが接する間仕切システム。
【請求項２】
前記第１遮音パッキンが前記壁面に接した後、前記第３遮音パッキンが前記天井に突出し及び前記第４遮音パッキンが前記床面に突出する請求項１に記載の間仕切システム。
【請求項３】
前記仕切パネルの両面側に、前記仕切パネルと同等の大きさの矩形形状の化粧パネルが移動可能に配置される請求項１又は請求項２に記載の間仕切システム。
【請求項４】
室内の天井または床面に架設したガイドレールに沿って移動可能な矩形形状の第１仕切パネルと該第１パネルと同じ大きさの第２仕切パネルとが、前記第１及び第２仕切りパネルの面と同一面になる室内の第１壁及びその反対側の第２壁に接することにより前記室内を間仕切る間仕切システムであって、
前記第１仕切パネル及び前記第２仕切パネルは、それぞれ第１辺、該第１辺に対向する第２辺、前記第１辺及び第２辺に直交し互いに対向する第３辺及び第４辺を有し、前記第１辺に第１遮音パッキン、前記第２辺に第２遮音パッキン、前記第３辺に第３遮音パッキン及び前記第４辺に第４遮音パッキンを有し、
前記第１仕切パネル及び前記第２仕切パネルは、互いに対向するようにして前記室内を間仕切った状態から逆方向に前記第１壁及び前記第２壁の面の法線方向に移動し、それぞれ前記第１壁面及び第２壁面と平行になって収納され、
前記室内を間仕切った状態では、前記第１仕切パネル及び前記第２仕切パネルは、前記第１壁に第１遮音パッキンが接し、前記第２壁に前記第２遮音パッキンが接し、前記天井に前記第３遮音パッキンが接し、前記床面に前記第４遮音パッキンが接する間仕切システム。
【請求項５】
室内の天井または床面に架設したガイドレールに沿って移動可能な矩形形状の第１仕切パネルに内挿される第２仕切パネルが、前記第１仕切パネル及び前記第２仕切パネルに直交する室内の壁面に接することにより前記室内を間仕切る間仕切システムであって、
前記第１仕切りパネルは、第１開口枠を有する収納部に収納され、
前記第１仕切パネルは、第１辺、該第１辺に対向する第２辺、前記第１辺及び第２辺に直交し互いに対向する第３辺及び第４辺を有し、前記第１辺に第２開口枠、前記第２辺に第２遮音パッキン、前記第３辺に第３遮音パッキン及び前記第４辺に第４遮音パッキンを有し、
前記第２仕切りパネルは、前記第２開口枠から前記第１仕切りパネル内の空間に内挿され、
さらに前記第２仕切りパネルは、第１辺、該第１辺に対向する第２辺、前記第１辺及び第２辺に直交し互いに対向する第３辺及び第４辺を有し、前記第１辺に第１遮音パッキン、前記第２辺に前記第２遮音パッキン、前記第３辺に前記第３遮音パッキン及び前記第４辺に前記第４遮音パッキンを有し、
前記第１仕切パネルが前記収納部の前記第１開口枠から第１辺側に移動し、前記第２仕切パネルが前記第１仕切パネルの前記第２開口枠から第１辺側に移動して前記壁面に接した際に、
前記第２仕切パネルは、前記壁面にその第１遮音パッキンが接し、前記第２開口枠にその第２遮音パッキンが接し、前記天井にその第３遮音パッキンが接し、前記床面にその第４遮音パッキンが接し、さらに
前記第１仕切パネルは、前記第１開口枠にその第２遮音パッキンが接し、前記天井にその第３遮音パッキンが接し、前記床面にその第４遮音パッキンが接する間仕切システム。